(57)【特許請求の範囲】
【請求項１】
上歯及び下歯に当接する上下の歯受け部と、
該上下の歯受け部の間隔を調節する間隔調節装置とを有する口の開口器において、
該間隔調節装置は、ラチェットバー下端に下歯用の歯受け部が連結される固定保持体を装着し、該固定保持体より上方の前記ラチェットバーに上歯用の歯受け部が連結される摺動保持体を装着し、該摺動保持体を、寸送りレバーの操作によりステッピング上昇させ、リリースピンの操作により下降可能とするものであり、
前記摺動保持体及び固定保持体の端部に前記上下の歯受け部との連結部を設け、
該連結部の直角方向に着脱自在に連結される上下の曲折アームを
利用者の口のある方向に向かって直角に曲がった曲折部を形成したＬ字状として、
ラチェットバーや摺動保持体から離れて、利用者の顔の側面側から口側に向かい、顔の前面が開放されるよう形成し、
該曲折アームの曲折部より伸びた他端に前記上下の歯受け部を装着し、
前記摺動保持体との連結部のうち上部連結部に、該摺動保持体から上歯用の歯受け部が利用者側へ所望の角度回動可能な角度調節機構を設けたことを特徴とする口の開口器。
【請求項２】
上記摺動保持体及び固定保持体の端部に設けられた上下の連結部に、該摺動保持体及び固定保持体から上記上下の歯受け部が利用者側へ所望の角度回動可能な角度調節機構を設けたものである請求項１記載の口の開口器。
【発明の詳細な説明】
【技術分野】
【０００１】
本発明は、主として歯科用の開口器の改良に関するもので、詳しくは、上歯受け部と下歯受け部との間隔を寸送りレバーの操作により所望の広さに開くことにより、患者の口を開口し、歯の治療などを行うことを目的とする、口の開口器に関するものである。
【背景技術】
【０００２】
従来、歯科用の開口器には、特許文献１に示されるような口腔内清掃治療用開口器（以下、開口器という。）が存在した。該開口器は、開口した状態の口唇を支える環状の口唇支持部と、上下の歯間に挿入することにより口の開口状態を確保するための第１舌片とを有するものである。  しかし、該開口器は形状が固定されているため、口の開口の広さを自由に変えることができず、年齢や男女差に関係なく幅広い範囲の人に対応が可能な開口器ではなかった。
【０００３】
また、特許文献２に示されるような口の開口器も存在した。該開口器は、上下の歯に当てる２本のアームの内、下歯用のアームを上下動することにより口の開閉を促し、歯の治療を行うものである。しかし、該開口器の下歯用の可動するアームは、上歯用のアームに対して、垂直方向に上下動するものではなく、支点を中心に回動することにより、上歯用のアームから離れていくものである。このため、上歯用のアームと下歯用のアームの歯へのあたり方が不安定なものとなり、安定した保持状態による開口器の使用による歯科治療が難しいものであった。
【０００４】
更に、緩衝材キャップ（歯受け部）がアームの正面延長線上にあるので、治療時にアームが顔面前面方向に存在し、治療の邪魔になるという問題があった。
【先行技術文献】
【特許文献】
【０００５】
【特許文献１】特開２００６−３２６０１７号公開特許公報
【特許文献２】特開２００１−０１７４５１号公開特許公報
【発明の概要】
【発明が解決しようとする課題】
【０００６】
そこで、本発明は、次の課題を解決しようとする。
第１に、口の開口の広さを無理なく自由に変えることができ、年齢や男女差に関係なく幅広い範囲の人に対応が可能な開口器を提供することである。
第２に、歯牙で保持する開口器において、安定した状態での使用が可能な開口器を提供することである。
第３に、顔の前面が開放され、治療のし易い開口器を提供することである。
【課題を解決するための手段】
【０００７】
第１に、上歯及び下歯に当接する上下の歯受け部と、該上下の歯受け部の間隔を調節する間隔調節装置とを有する口の開口器である。
第２に、該間隔調節装置は、ラチェットバー下端に下歯用の歯受け部が連結される固定保持体を装着し、該固定保持体より上方の前記ラチェットバーに上歯用の歯受け部が連結される摺動保持体を装着し、該摺動保持体を、寸送りレバーの操作によりステッピング上昇させ、リリースピンの操作により下降可能とするものである。
第３に、前記摺動保持体及び固定保持体の端部に前記上下の歯受け部との連結部を設け、該連結部の直角方向に着脱自在に連結される上下の曲折アームを利用者の口のある方向に向かって直角に曲がった曲折部を形成したＬ字状として、ラチェットバーや摺動保持体から離れて、利用者の顔の側面側から口側に向かい、顔の前面が開放されるよう形成し、該曲折アームの曲折部より伸びた他端に前記上下の歯受け部を装着する。
第４に、前記摺動保持体との連結部のうち上部連結部に、該摺動保持体から上歯用の歯受け部が利用者側へ所望の角度回動可能な角度調節機構を設けた。
【０００８】
本発明の改良として、上記摺動保持体及び固定保持体の端部に設けられた上下の歯受け部との連結部に、該摺動保持体及び固定保持体から上記上下の歯受け部が、利用者側へ所望の角度回動可能な角度調節機構を設けることもできる。
【発明の効果】
【０００９】
本発明では、次の効果を発揮する。
第１に、間隔調節装置は、摺動保持体を、寸送りレバーの操作によりステッピング上昇させるので、上歯用の歯受け部が連結される摺動保持体が下歯用の歯受け部が連結される固定保持体に対してステッピング上昇することとなり、口の開口の広さを寸送りの幅で自由に変えることができ、年齢や男女差に関係なく幅広い範囲の人に対応が可能な口の開口器を提供することができた。
【００１０】
第２に、摺動保持体との連結部に、該摺動保持体から上歯用の歯受け部が利用者側へ所望の角度回動可能な角度調節機構を設けたので、美しい歯並びでない場合においても、角度調節機構により所望の位置の歯に上歯用の歯受け部を位置させることが可能となり、安定した状態での使用が可能な口の開口器を提供することができた。
【００１１】
第３に、上下の歯受け部を、利用者の口に向かわせるための上下の曲折アームを介して連結するので、上下の歯受け部が連結された上下の曲折アームが患者の顔の側面側から患者に向かうので、顔の前面が開放され、治療のし易い口の開口器を提供することができた。
【００１２】
第４に、上下の歯受け部を上下の曲折アームを介して着脱自在とすることにより、上下の歯受け部と曲折アームの交換が可能となるので、使用後の消毒作業等が簡単に行える上、子供用・大人用（男性用・婦人用）といった大きさの異なる歯形に合致した上下の歯受け部や上下の曲折アームを準備しておくことで、汎用性の広い口の開口器を提供することが可能となった。
【図面の簡単な説明】
【００１３】
【図１】本発明に係る開口器の正面図
【図２】同左側面図
【図３】同平面図
【図４】開口器のラチェット機構の動作を示す正面断面説明図で、（Ａ）は固定保持体と摺動保持体が接している状態を示し、（Ｂ）は固定保持体から摺動保持体が上昇した状態を示す。
【図５】開口器における上歯用の歯受け部の角度調節機構の内部構造を示す断面説明図で、（Ａ）は角度調節なしの状態を示し、（Ｂ）は角度調節ありの状態を示す。
【図６】曲折アームの着脱自在状態を示す断面分解説明図
【発明を実施するための形態】
【００１４】
以下、本発明を実施するための形態につき実施例と共に説明する。図１は本発明に係る開口器の正面図であり、図２は同左側面図であり、図３は同平面図である。実施例に係る開口器１は、ラチェットバー２と、ラチェットバー２に装着される上歯用の部材３と下歯用の部材４とによりなる。
【００１５】
上歯用の部材３は、図３に示される上歯に当接する上歯受け部５が先端に装着された上部曲折アーム６と、図１に示されるラチェットバー２に摺動可能に装着された摺動保持体７と、図１及び図３に示される該摺動保持体７と上部曲折アーム６を連結する上部連結体８とよりなる。
【００１６】
これらの部材の装着状態を説明する。ラチェットバー２に摺動保持体７が摺動自在に装着され、該摺動保持体７に上部連結体８が連結され、上部連結体８の直角方向へと上部曲折アーム６が着脱自在に連結され、上部曲折アーム６の先端には上歯に当接する上歯受け部５が取り外し可能に装着されている。
【００１７】
図１及び図２に示されるように上歯用の部材３の下方のラチェットバー２には、下歯用の部材４が装着されている。下歯用の部材４は、図２に示されるように下歯に当接する下歯受け部９が先端に装着された下部曲折アーム１０と、ラチェットバー２の下端に固着された固定保持体１１と、図１に示される該固定保持体１１と下部曲折アーム１０を連結する下部連結体１２とよりなる。
【００１８】
これらの部材の装着状態を説明する。ラチェットバー２に固定保持体１１が固着され、該固定保持体１１に下部連結体１２が連結され、下部連結体１２の直角方向に下部曲折アーム１０が着脱自在に連結され、下部曲折アーム１０の先端には下歯に当接する下歯受け部９が取り外し可能に装着されている。
【００１９】
上歯用の部材３の摺動保持体７は、上歯受け部５を上下動させる部材であり、摺動保持体７には、摺動保持体７をラチェットバー２上でステッピング上昇させるための寸送りレバー７０と、一気に押し下げ可能とするリリースピン７１を備えている。寸送りレバー７０で摺動保持体７を上昇させ、摺動保持体７と連結されている上歯受け部５と固定保持体１１と連結されている下歯受け部９とを開かせる。即ち、ラチェットバー２と固定保持体１１と摺動保持体７とが、上歯受け部５と下歯受け部９との間隔を調節する間隔調節装置１３となる。
【００２０】
間隔調節装置１３は次のように用いられる。上歯受け部５を上歯に、下歯受け部９を下歯に当接させて、利用者が開口器１を銜えた状態で、寸送りレバー７０を操作して、摺動保持体７を固定保持体１１から遠ざかる方向、即ち上方へと、上昇させることにより、上歯受け部５をステッピング上昇させる。即ち、間隔調節装置１３の寸送りレバー７０の作動により、上歯受け部５と下歯受け部９との間隔を寸送り間隔で開くものである。
【００２１】
これにより、利用者の年齢や男女差に関係なく、利用者の口を治療に都合の良い所望の広さに開口することができる。治療後は、リリースピン７１を押し下げながら、摺動保持体７をラチェットバー２上で下方へ摺動させることにより、摺動保持体７の固定保持体１１からの間隔を解除することができる。
【００２２】
摺動保持体７と上歯受け部５の装着された上部曲折アーム６とを連結する部材である上部連結体８には、摺動保持体７側に角度調節突起８０と角度調節歯車８１とが配備される。該上部連結体８と後に述べる下部連結体１２とが、本発明における連結部となる。
【００２３】
上部連結体８には、上部曲折アーム６が着脱自在に連結される。上部曲折アーム６は、Ｌ字状に曲折したアームであり、上部連結体８側に連結のためのソケット部６０が形成され、曲折部６１により直角に曲げられ、そこから伸びた他端に上歯受け部５の取付部６２が形成され、上歯受け部５が、上部連結体８側から利用者の口側に向かうよう、即ち、ラチェットバー２や摺動保持体７からも離れて利用者の口側に向かうようＬ字状に曲折するものである。
【００２４】
尚、取付部６２に取り付けられる上歯受け部５は、取り外し可能であり、実施例では、上歯受け部５はシリコンゴムのカバーよりなる。
【００２５】
上部曲折アーム６と摺動保持体７の上部連結体８との連結構造は、図６及び図５に示されるように、上部曲折アーム６の上部連結体８側に形成されたソケット部６０と、上部連結体８の先端に装着されたプッシュピン６４とによりなる。ソケット部６０の内側には係止穴６６が形成されている。プッシュピン６４には、上部連結体８側にプッシュボタン６３と、他端側の先端付近に係止のための係止突起６５とが形成されている。
【００２６】
プッシュピン６４をソケット部６０に挿入し、係止突起６５が係止穴６６に係り合うことにより上部曲折アーム６は上部連結体８に連結される。結局、上部曲折アーム６に取り付けられた上歯受け部５が、上部連結体８を介して間隔調節のための摺動保持体７に着脱自在に連結されていることになる。プッシュボタン６３を押圧することによりプッシュピン６４の突起６５の上部曲折アーム６のソケット部６０内の係止穴６６への係止めを解除する。この操作により、上部曲折アーム６を上部連結体８から外すことが簡単にできる。
【００２７】
下部連結体１２は、固定保持体１１と、下歯受け部９の装着された下部曲折アーム１０とを連結する部材であり、連結部となる。下部曲折アーム１０は、下部連結体１２に着脱自在に連結される。これにより下部曲折アーム１０に装着された下歯受け部９を着脱自在とする。
【００２８】
下部曲折アーム１０は、図示されていないが、上部曲折アーム６と同様の形状及び構造であり、下部連結体１２からＬ字状に延び、下部連結体１２側が下部連結体１２から離れる方向にソケット部を形成し、ソケット部から利用者の口のある方向に向かって直角に曲がった曲折部を形成し、先端に下歯受け部９の取付部を形成するものである。該下部曲折アーム１０の取付部に下歯受け部９が取り外し可能に装着される。実施例では、下歯受け部９はシリコンゴムのカバーよりなる。下部曲折アーム１０は下歯受け部９を利用者の口に向かわせるため、下部連結体１２から下歯受け部９が利用者の口に向かう方向に曲折されているものである。
【００２９】
下部曲折アーム１０と下部連結体１２との連結構造は、上部曲折アーム６と上部連結体８の連結構造と同じ構造とされている。
【００３０】
上部曲折アーム６及び下部曲折アーム１０とは、上部連結体８及び下部連結体１２と着脱自在なので、上部曲折アーム６及び下部曲折アーム１０とは交換が可能となる。これにより、使用後の上部曲折アーム６及び下部曲折アーム１０及びそれに取り付けられた上下の歯受け部の消毒作業等が簡単に行える。また、上部曲折アーム６及び下部曲折アーム１０とは、子供用・大人用（男性用・婦人用）といった大きさの異なる歯形のものを準備すれば、歯形に合致した上部曲折アーム及び下部曲折アームを選ぶことができる汎用性の広い開口器１を提供することができる。
【００３１】
上部連結体８には、上歯受け部５の上歯への当接位置を変化させるための角度調節機構が設けられている。角度調節機構は、角度調節突起８０と角度調節歯車８１とで構成され、両部材は上部連結体８に配備される。該角度調節機構により、摺動保持体７から上歯受け部５を利用者側へ所望の角度回動可能とする。
【００３２】
図５（Ａ）（Ｂ）に示されるように、角度調節歯車８１に角度調節突起８０が係合するようになっている。角度調節突起８０に対して角度調節歯車８１の係合位置を変化させることにより、上部連結体８を回動させるものである。上部連結体８の回動に従って、上部連結体８に連結される上部曲折アーム６が回動し、結果として、上部曲折アーム６の先端に装着される上歯受け部５の位置が変化するのである。
【００３３】
角度調節歯車８１の回動に伴う上歯受け部５の位置を変化させることにより、上歯受け部５の利用者の歯にあたる位置を可変とする。これにより、利用者が開口器１を上歯と下歯とで銜えた場合の上歯受け部５と下歯受け部９との位置関係を所望の位置に調節するものである。これにより、歯並びの悪い利用者の場合にも、所望の位置の歯に上歯受け部５と下歯受け部９とを位置させることが可能となり、安定した状態での開口器１の使用が可能となる。
【符号の説明】
【００３４】
１・・・・・・・・・・開口器
２・・・・・・・・・・ラチェットバー
３・・・・・・・・・・上歯用の部材
４・・・・・・・・・・下歯用の部材
５・・・・・・・・・・上歯受け部
６・・・・・・・・・・上部曲折アーム
７・・・・・・・・・・摺動保持体
８・・・・・・・・・・上部連結体
９・・・・・・・・・・下歯受け部
１０・・・・・・・・・下部曲折アーム
１１・・・・・・・・・固定保持体
１２・・・・・・・・・下部連結体
１３・・・・・・・・・間隔調節装置
６０・・・・・・・・・ソケット部
６１・・・・・・・・・曲折部
６２・・・・・・・・・取付部
６３・・・・・・・・・プッシュボタン
６４・・・・・・・・・プッシュピン
６５・・・・・・・・・係止突起
６６・・・・・・・・・係止穴
７０・・・・・・・・・寸送りレバー
７１・・・・・・・・・リリースピン
８０・・・・・・・・・角度調節突起
８１・・・・・・・・・角度調節歯車
【図１】
0006504368.tif 000002
【図２】
0006504368.tif 000003
【図３】
0006504368.tif 000004
【図４】
0006504368.tif 000005
【図５】
0006504368.tif 000006
【図６】
0006504368.tif 000007